(57)【要約】【課題】棚システム等のための壁レールシステムを提供する。【解決手段】壁レールシステムは、少なくとも１本の壁レール（１０）であって、Ｕ字状輪郭として具現化され、壁に固定される後方部分（１２）、壁から離れて配置される２個の横方向突出部（１４）、および壁に向かって配置される後方部分（１２）の側に対し長手方向に延びる１個の後方部分側空洞（１５）を備えるものと、２本の壁レール（１０）であって、長手方向に互いに押し合う２本の壁レール（１０）を連結するための少なくとも１個の連結部材（２０）とを含んで成る。連結部材（２０）は、２本の壁レールの連結状態において、後側空洞内に受容される。連結部材（２０）は、横方向突出部およびＵ輪郭の後側間の利用可能スペースに関与すること無く、レールを相互に確実に連結、固定および整列させる。【選択図】図１
2009528462.tif 000002
【特許請求の範囲】
【請求項１】
壁（５０）に固定可能な後方部分（１２）と、後方部分（１２）から壁から離れて前方に延びる２つの横方向突出部（１４）と、壁に面する後方部分（１２）の裏面において長手方向に延びる裏面側の空洞（１５）とを有するＵ字状断面を備える、少なくとも１本の壁レール（１０）と、
長手方向において相互に当接する２本の壁レール（１０）を連結し、２本の壁レールが連結状態にあるとき裏面側の空洞（１５）内に収容される、少なくとも１個の連結部材（２０）とを含む壁レールシステム。
【請求項２】
壁レール（１０）は、少なくとも１の縦方向端部における後方部分（１２）に第一および第二の開口部（１７、１９）を有し、
連結部材（２０）は、壁レールに設けられた前記開口部（１７、１９）に係合する第一および第二の突起部（２１、２２）を両側部に有する、請求項１に記載の壁レールシステム。
【請求項３】
第一の開口部（１７）は、壁レール（１０）の長手方向に対し横方向に配置されるスロット形状を有し、
連結部材（２０）の第一の突起部（２１）は、側端部に配置され、相互に当接する各壁レール（１０）の第一の開口部（１７）に係合し、長手方向における壁レール（１０）の固定された相対的位置決めをもたらす、請求項２に記載の壁レールシステム。
【請求項４】
第二の開口部（１９）は、壁レール（１０）の端部における矩形状切欠であり、
連結部材（２０）の第二の突起部（２２）は、中央部に配置され、相互に当接する各壁レール（１０）の第二の開口部（１９）に係合し、壁レール（１０）を横方向において互いに固定させる、請求項２または３に記載の壁レールシステム。
【請求項５】
連結部材（２０）は、細長く、平坦な金属部材の形状を有する、請求項１〜４の何れか１項に記載の壁レールシステム。
【請求項６】
連結部材（２０）の一側部の第一の突起部（２１）は、壁レール（１０）の背面部分（１２）に対し平行に配置された連結部材（２０）の基面に対し、６０゜〜８５゜、好ましくは７５゜〜８５゜の角度を成す、請求項５に記載の壁レールシステム。
【請求項７】
連結部材（２０）の２個の中央突起部（２２）は、ノッチ（２３）を介して互いに連結される、請求項４〜６の何れか１項に記載の壁レールシステム。
【請求項８】
後方部分（１２）の長手方向に延びる裏面側の空洞（１５）が、後方部分（１２）の前方に突出する中間部分（１２ａ）により形成される、請求項１〜７の何れか１項に記載の壁レールシステム。
【発明の詳細な説明】
【技術分野】
【０００１】
本発明は、柔軟にかつ多用途的に利用可能な棚システムを形成するために、棚受けを支持する壁レールシステム（壁面取付用レール）に関する。
【背景技術】
【０００２】
この種の知られた棚システムは、一般的に使用され、書籍、物品、ファイル等を保管するための大表面積を提供する手段として家庭および商業用途において実用化されている。この種の棚システムは、上方および側方に任意の方法で延長できるので、高度の柔軟性を提供する。
【０００３】
幾つかの用途、特に商業用途においては、棚の高さは３メートル、４メートルまたはそれ以上であるのが一般的である。しかしながら、輸送、保管および取り扱いに関する理由から、１．５〜２メートルを超える壁レールは実用的ではないし、また一般的ではない。このため、２本以上の壁レールを上下に装着する必要がある。従って、長手方向に相互に当接する２本の壁レールを相互に定位させ、互いに固定させることができる固定手段の必要性が生じる。
【０００４】
一般的なタイプの垂直壁面取付用レールは、いわゆるＵ字状断面レールであり、当該レールでは、壁面に対し平行な後方部分が壁面に固定され、後方部分から２本の横方向突出部が前方に延びる。各突出部は、棚受け等を支持するための孔、開口部等、又は可動保持部品等をガイドするための垂直方向ノッチを設けることができる。Ｕ字状断面レール利用の制限を回避するために、後方部分と横方向突出部との間に形成されるスペースは、できる限り邪魔されないようにすべきである。
【０００５】
ＧＢ−Ａ−１  ５０３  ２１４は、Ｕ字状断面形状の壁レールであって、壁面に固定できる後方部分と、壁面から外方に向いた２つの横方向突出部と、壁面側の空洞を形成し壁レールの長手方向に延びる溝とを備えたものを開示する。
【０００６】
米国特許第３，４８０，１５５号は、互いに長手方向において当接している２本の棚柱を連結するための差し込み式連結部材を備える自立棚用柱を開示する。
【０００７】
ＥＰ−Ａ−００９５  ０２１は、Ｃ字状断面を有する天井または壁面用パネル板を開示し、各板は連結地点において互いに同一平面で当接し、パネル接続器によって互いに連結されている。パネル接続器は同様にＣ字状であり、Ｃ字状断面の側壁に挿入される。
【特許文献１】ＧＢ１５０３２１４
【特許文献２】ＵＳ３４８０１５５
【特許文献３】ＥＰ００９５０２１
【発明の開示】
【発明が解決しようとする課題】
【０００８】
従って、本発明の目的は、少なくとも壁レールおよび連結部材を有する壁レールシステムを提供することにあり、連結部材はＵ字状断面を備え、長手方向で互いに当接している２本の壁レールを確実に固定し得るものであり、各壁レールはＵ字状断面における横方向の各突出部と後方部分との間の使用可能なスペースを実質的に制限することなく互いに定位され得る。
【課題を解決するための手段】
【０００９】
本目的を達成するために、本発明により提案される壁レールシステムは、
壁面に固定可能な後方部分と、壁面から離れる２つの横方向突出部と、壁に対向する後方部分の裏面において長手方向に延びる裏面側の空洞とを備えるＵ字状断面形状を有する少なくとも１本の壁レールと、
長手方向において相互に当接する２本の壁レールを連結し、２本の壁レールが連結状態にあるとき裏面側の空洞内に収容される、連結部材とを含んで構成される。
【００１０】
このようにして、連結部材は、各端面において互いに当接する２本の壁レールを固定する。しかしながら、連結部材は、壁レール後方部分の背後で壁側に形成された空洞内に収容されるので、その連結部は、Ｕ字状断面壁レールの２つの横方向突出部と後方部分との間に形成される利用可能なスペース内に突出することは無い。従って、連結部材が、保持部材等の固定または垂直運動を妨げることは無い。それ故、壁レールは非常にコンパクトなデザインとすることができる。
【００１１】
好ましい一実施例において、壁レールは、少なくとも１個所の縦方向端部に第一および第二の開口部を有し、連結部材は、壁レール内に設けられた開口部に係合する第一および第二の突起部を各側に有している。壁レールの各開口部内に係合する連結部材の各突起部によって、連結部材は相互に連結され、相互に対して固定される。
【００１２】
第一の開口部は、好ましくは、壁レールの長手方向に対し横断方向に配置されるスロット形状を有し、第一の突起部は、連結部材の端部に配置され、相互に当接する壁レールの横断方向に配置されたスロット内に係合し、当該係合によって壁レールの相対的位置を長手方向において固定させることができる。
【００１３】
第二の開口部は、好ましくは、壁レールの端部において実質的に矩形状の切り欠き形状を有し、連結部材の第二の突起部は、中央部に配置され、第二の開口部内に係合し、当該係合によって壁レールを横断方向において互い位置決めさせることができる。
【００１４】
長手方向に位置決めするためのスロット状切り欠きと、横断方向において位置決めするための矩形状切り欠きとの組合わせによって、長手方向および横断方向の双方において確実に位置決めされ、かつ、コンパクトで製造が容易で非常に経済的である連結部材を使用して、各レールは相互に対して定位され得る。
【００１５】
連結部材は、好ましくは、一方側に第一および第二の突起部を備える、細長く、平坦な金属部材である。連結部材は、軽量、小型でかつ安価に製造できる。
【００１６】
連結部材の側端の第一の突起部は、連結部材の基本面（基面）に対し、６０゜〜８５゜、好ましくは７５゜〜８５゜の角度を成し、基本面は壁面とＵ字状断面レールの後方部分の面に対し平行であり得る。この角度を選択することにより、２本の壁レールを互いに取り付け、かつ固定するのをより容易にし、２本のレールを互いに連結させる弾性力を生じさせることができる。
【００１７】
好ましい一実施例において、各連結部材の２つの中央突起部は、当該連結部材の強度を増加させる小さなノッチ（切り込み）または溝（クリース）を介して互いに連結される。
【発明を実施するための最良の形態】
【００１８】
以下、具体的な実施例に関して本発明を詳細に説明する。
【００１９】
図１は、本発明により提案される壁レールシステムの一実施例の水平方向断面図である。当該システムは、Ｕ字状断面を備えた壁レール１０と、縦方向端部において互いに当接する２本の壁レール（図３〜５）を連結し、それにより、２本以上のレールを壁、パーティション（間仕切り）、フレーム等の上に上下に取り付けることを可能にするための連結部材２０とから構成される。壁レールは全体として、壁５０に固定することができる後方部分１２と、壁から突出する２本の横方向突出部１４とを備えたＵ字状断面の形状において提供される。壁から離れた横方向突出部１４の前端に、摺動部材または水平移動可能支持部材を収容するための溝、突出した終端部材またはレール等を設けてもよい。横方向突出部１４の形状およびデザインは本発明にとって重要ではない。
【００２０】
壁レール１０の後方部分１２は、ネジ等によって壁に固定でき、前方に（すなわち、壁から離れて）突出する部分１２ａを有し、当該部分１２ａは壁側に空洞１５を形成する。垂直に当接する２本の接合用レール１０を連結するための連結部材２０は、この空洞１５内に収容される。
【００２１】
図２は本発明により提案される連結部材２０の一実施例を示す。連結部材２０は、実質的に細長いシート状金属部品の形状を有し、かつ２個の側方端突起部２１ならびに２個の中央突起部２２を有している。２個の中央突起部２２は、切り込み（ノッチ）または溝（クリース）２３を介して互いに連結されている。しかしながら、中央突起部は異なった形状を有していてもよい。各側方端突起部２１は、連結部材２０の主面に対し垂直に配置することができる。連結部材２０の主面は、壁面および壁レール１０の後方部分１２に対し平行である。または、各側方端突起部２１は、上記主面に対し、６０゜〜８５゜の範囲、より好ましくは７５゜〜８５゜の角度αを成すことが好ましい。この角度位置は、連結部材と壁レールの嵌め付けをより容易にする。連結部材２０は、鋼板等の弾性材料で製作することができ、連結される２本の壁レールに弾性的な牽引力を及ぼすことが出来る。
【００２２】
図３は、各端部において相互に当接する２本の壁レールから構成される本発明の一実施例を示す正面図、すなわち壁面に向き合う方向における図であり、図４は、連結部材２０により互いに連結された２本の壁レールを示す背面図である。
【００２３】
それらの裏面部において、壁レール１０はそれぞれ前方に突出する中間部分１２ａを有し、中間部分１２ａは裏面（壁側）に空洞１５を形成する。図１、４および５に示すように、各端部で互いに当接する２本の壁レール１０を連結するための連結部材２０は、空洞１５内に収容される。壁レール１０の中間部分１２ａには、壁レール１０を壁面に固定するための開口部１８を設けてもよい。
【００２４】
また、開口部１７、１９が、壁レール１２の縦方向端部に近接して、前方に突出する中間部分１２ａに設けられている。第一の開口部１７は横方向に配置されるスロット形状を有する。一方、第二の開口部１９は矩形状を有し、中間部分１２ａの端部に配置される。２本の壁レール１０を互いに連結するように、連結部材２０の各側方端突起部２１は横方向スロット１７に係合し、各壁レール１０を長手方向に互いに固定させる（図５参照）。連結部材２０の中央突起部２２は、２個の隣接する開口部１９に係合し、２本のレール１０を横方向に互いに固定させる。また、合計４個所における細長い連結部材２０の正確に位置決めされた係合によって、２本のＵ字状壁レール１０が互いに平行に方向付けられる。
【００２５】
本発明に照らして、突起部２１、２２を備える連結部材２０の正確な形状ならびに壁レール１０における開口部１７、１９の正確な形状および位置が変化し得ることは、当業者に理解されるであろう。
【００２６】
従って、本発明は、壁レールおよび連結部材を備えた壁レールシステムであって、横方向突出部とＵ字状断面の背面との間の利用可能スペースを侵害することなく、各レールを確実に連結、固定、かつ定位させ得るものを提供する。それ故、本発明は、非常に容易で、コンパクトで、かつ単純な嵌合を与える固定方法を提供するものである。
【図面の簡単な説明】
【００２７】
【図１】本発明により提案される壁レールシステムの一実施例を示す水平方向断面図である。
【図２】本発明により提案される連結部材の一実施例を示す側面図である。
【図３】本発明の一実施例に基づき、各端部において相互に当接する２本の壁レールを示す正面図である。
【図４】連結部材により互いに連結された２本の壁レールの背面図である。
【図５】本発明により提案される壁レールシステムの一実施例を示す垂直方向断面図である。
【符号の説明】
【００２８】
１０  壁レール
１２  後方部分
１２ａ  中間部分
１４  横方向突出部
１５  空洞
２０  連結部材
５０  壁面
【図１】
2009528462.tif 000003
【図２】
2009528462.tif 000004
【図３】
2009528462.tif 000005
【図４】
2009528462.tif 000006
【図５】
2009528462.tif 000007
【国際調査報告】
2009528462.tif 000008
2009528462.tif 000009
2009528462.tif 000010
2009528462.tif 000011
2009528462.tif 000012
2009528462.tif 000013